(57)【要約】【課題】内視鏡制御装置の機能上、あるいは使用目的上の安全性を保持するための回路が故障している場合に、機器自体を動作させないようにする内視鏡制御装置を提供する。【解決手段】内視鏡制御装置は、内視鏡制御装置の機能上あるいは使用目的上の安全を保持するための安全保持回路２２と、内視鏡制御装置の動作を制御する制御部２と、制御部２を起動させる起動部３とを有し、安全保持回路２２は、制御部と起動部の少なくともいずれか１つと同一の装置内に形成されている。【選択図】図１
2007175406.tif 000002
【特許請求の範囲】
【請求項１】
内視鏡制御装置であって、
前記内視鏡制御装置の機能上あるいは使用目的上の安全を保持するための安全保持手段と、
前記内視鏡制御装置の動作を制御する制御手段と、
該制御手段を起動させる起動手段と、
を有し、
前記安全保持手段は、前記制御手段と前記起動手段の少なくともいずれか１つと同一の装置内に形成されていることを特徴とする内視鏡制御装置。
【請求項２】
前記同一の装置は、１チップの半導体装置であることを特徴とする請求項１記載の内視鏡制御装置。
【請求項３】
前記半導体装置は、プログラム可能な論理回路を有する半導体装置であることを特徴とする請求項２記載の内視鏡制御装置。
【請求項４】
前記半導体装置は、FPGAまたはCPLDであることを特徴とする請求項３記載の内視鏡制御装置。
【請求項５】
さらに、前記制御手段の回路構成データを記憶した不揮発性記憶手段を有し、
前記起動手段は、前記不揮発性記憶手段から前記回路構成データを読み出して、前記制御手段に書き込むことを特徴とする請求項１から４のいずれか１つに記載の内視鏡制御装置。
【請求項６】
前記安全保持手段は、前記内視鏡制御装置に異常が発生したときに、前記内視鏡制御装置内の回路の出力信号を保持することを特徴とする請求項１から５のいずれか１つに記載の内視鏡制御装置。
【請求項７】
前記回路は、ランプ点灯制御回路であることを特徴とする請求項６記載の内視鏡制御装置。
【発明の詳細な説明】
【技術分野】
【０００１】
本発明は、内視鏡制御回路に関し、特に、安全保持手段を有する内視鏡制御回路に関する。
【背景技術】
【０００２】
従来より、内視鏡装置が、医療分野及び工業分野で広く利用されている。内視鏡の挿入部は、体腔内、細径管内等に挿入される。挿入部には、湾曲部が設けられており、ユーザが操作部において湾曲操作をすることによって、湾曲部が体腔内等の内部形状に応じて湾曲可能となっている。  
また、内視鏡の操作部から挿入部の先端部にかけて、照明光を案内するライトガイドが内挿されている。さらに、被写体からの反射光を案内するイメージガイドも内挿されている場合もある。操作部には、イメージガイドを通して案内された被写体光を肉眼で観察できるようにするための接眼部と、ライトガイドに所定の照明光を入射させるための光源装置の接続部が設けられている。
【０００３】
別な種類の内視鏡では、挿入部の先端部に固体撮像素子を配置し、あるいは操作部のイメージガイド端に固体撮像素子を配置して、ライトガイドから投射された照明光を反射した被写体光を固体撮像素子で撮像して画像信号を生成し、その画像信号に基づいてモニタに被写体の画像を表示する電子内視鏡もある。
【０００４】
このような内視鏡装置において、例えば、マイクロプロセッサを用いた場合におけるマイクロプロセッサの誤動作に対して、制御対象機器の動作を安全な状態にする回路に関する技術が提案されている（例えば、特許文献１参照）。
【特許文献１】特公平４−４００１４号公報
【発明の開示】
【発明が解決しようとする課題】
【０００５】
しかし、制御対象機器の動作を安全な状態にする回路が故障していても、医療機器自体は動作する。そのため、そのような回路が故障していても、ユーザが気付かずにそのまま使用を開始し、継続することができるが、そのような誤動作等の問題が生じると、その安全な状態にする回路が動作しないので、その医療機器の使用は、継続してできない。
【０００６】
例えば、光源装置におけるそのような回路は、医療機器に故障が発生しても、観察が継続できるように、観察を継続することにおいては安全な状態である、ランプが点灯しているという状態を維持するように働く。しかし、内視鏡装置の光源装置においてそのような回路が故障している状態でも、ユーザは内視鏡による観察を開始することができるが、観察中に光源装置に異常が発生しても、その回路は動作しない。よって、観察を継続することにおいては安全な状態ではない、光源装置のランプの消灯状態が生じ、ユーザは内視鏡を使用した観察を継続してできなくなってしまう。
【０００７】
本発明は、このような問題点に鑑みてなされたものであって、そのような内視鏡制御装置の機能上、あるいは使用目的上の安全性を保持するための回路が故障している場合に、機器自体を動作させないようにする内視鏡制御装置を提供することを目的とする。
【課題を解決するための手段】
【０００８】
本発明の内視鏡制御装置は、内視鏡制御装置であって、前記内視鏡装置の機能上あるいは使用目的上の安全を保持するための安全保持手段と、前記内視鏡制御装置の動作を制御する制御手段と、該制御手段を起動させる起動手段とを有し、前記安全保持手段は、前記制御手段と前記起動手段の少なくともいずれか１つと同一の装置内に形成されている。
【発明の効果】
【０００９】
安全保持手段が異常な場合、機器自体が起動しない。よって、術者が内視鏡を用いた観察、処置等を行っているときに、安全保持手段が動作しないということがない。
【発明を実施するための最良の形態】
【００１０】
以下、本発明の実施の形態を図面を用いて説明する。以下の実施の形態では、医療機器として内視鏡装置の光源装置のランプユニットの動作に係わる回路を例に説明する。
【００１１】
（第１の実施の形態）  
図１は、内視鏡装置の光源装置１の構成の一部を示すブロック図である。光源装置１は、医療機器の１つであり、内視鏡制御装置の一部を構成する。光源装置１は、一般に、ランプ、フィルタ、絞りなどの種々の構成要素を含むが、ここでは、説明を簡単にするために、主としてランプの点灯制御に係わる回路の部分について説明する。
【００１２】
光源装置１は、制御部２、起動部３、不揮発性メモリ４及びクロック発生部５を含む。光源装置１の動作を制御する制御手段としての制御部２は、1チップの半導体装置であるFPGA（Field Programmable Gate Array）により実現されている。後述するように、制御部２のFPGAの内部には、中央処理装置（以下、CPUという）１１と、シリアル／パラレル回路、ブザー制御等を行うCPU１１の周辺回路とが含まれる。制御部２には、不揮発性記憶手段である不揮発性メモリ４から読み出されたコンフィギュレーションデータが書き込まれる。制御部２は、いわゆるＳＲＡＭ構造であり、電源が切れると、記憶されたデータは消去される。記憶部１２は、CPU１１が動作するために必要なメモリ領域である。
【００１３】
制御部２は、起動部３によって、コンフィギュレーションデータが書き込まれることによって、内部に各種機能実行部が構築される。
【００１４】
また、光源装置１は、起動後に自動的にランプを点灯する自動点灯モードと、起動後にランプボタンの押し下げによってランプが点灯する手動点灯モードを有する。自動点灯モードであるか手動点灯モードであるかにかかわらず、ランプ点灯する際に、ランプの断線、固着等のステータス信号が、ランプユニット６から制御部２のCPU１１に入力されるが、ステータス信号が安定するまでいくらかの時間を要するので、ここでは、光源装置１は、ランプボタンの押し下げからステータス信号の安定までの間は、フロントパネルのあるLEDは点滅するようにしている。
【００１５】
さらに、また、光源装置１は、外部機器と接続され、その外部機器と連動した動作も行う。ユーザが外部機器あるいは光源装置１を操作した際に、外部機器と光源装置１の両方から操作音が発せられると、ユーザは困惑する虞がある。そこで、ここでは、光源装置１が外部機器と接続されている場合に操作が行われたときは、外部機器と光源装置１のいずれかの操作音は発せられないようになっている。
【００１６】
図２は、内部に各種機能実行部が構築された制御部２の構成を示すブロック図である。FPGAである制御部２は、内部に書き込まれたコンフィギュレーションデータにより構築された、CPU１１と、そのCPU１１に接続された各種周辺回路を含む。ここでは、周辺回路として、シリアル／パラレル変換器１３、キーデコーダ１４、ランプ状態検知回路１５、分周器１６、パラレル／シリアル変換器１７、ポンプ制御回路１８及びブザー制御回路１９が示されている。さらに、CPU１１は、外部機器と通信を行うための通信インターフェース回路２０に接続されている。
【００１７】
制御部２は、上述したように、FPGAという１チップの半導体装置であり、不揮発性メモリ４に記憶されたコンフィギュレーションデータに基づいて、内部構成が決定される。制御部２は、電源が供給されて、コンフィギュレーションデータが書き込まれることによって、内部に、図２に示すCPU１１、シリアル／パラレル変換器１３等の各種回路を構築する。コンフィギュレーションデータは、FPGAの制御部２の内部回路構成を決定する内部回路構成データである。ここでは、コンフィギュレーションデータは、制御部２となるFPGAの内部に、CPU１１とその各種周辺回路を構成するための回路構成データである。
【００１８】
図２において、クロック発生回路５からのクロック信号CLKが、CPU１１に供給され、さらに分周器１６によって、所定の周期のパルスになるように分周される。分周されたクロックは、周辺回路に、ここでは、キーデコーダ１４、ランプ状態検知回路１５、パラレル／シリアル変換器１７、ポンプ制御回路１８及びブザー制御回路１９に供給される。
【００１９】
また、制御部２を起動させる起動手段である起動部３は、１チップの半導体装置であるCPLD（Complex Programmable Logic Device）により実現されている。起動部３は、コンフィギュレーション回路２１とランプ点灯制御回路２２をCPLD内に一体として含む。  
コンフィギュレーション回路２１は、不揮発性メモリ４から所定のコンフィギュレーションデータを読み出し、制御部２にシリアルデータとしてそのコンフィギュレーションデータを書き込む。具体的には、コンフィギュレーション回路２１は、不揮発性メモリ４と制御部２とは、アドレスバス、データバス及び制御信号線によって接続されている。また、今コンフィギュレーション回路２１は、データ線、データ転送用クロック信号線、及びステータス信号線によって、制御部２と接続されている。よって、コンフィギュレーション回路２１は、不揮発性メモリ４からコンフィギュレーションデータを読み出して、制御部２に書き込むように実行することができる。
【００２０】
また、ランプ点灯制御回路２２は、制御部２からのランプ点灯指示信号を所定の信号線を介して受信して、ランプ点灯指示信号に応じてランプを含むランプユニット６にランプ点灯制御信号を出力する。このランプ点灯制御回路２２は、制御部２のCPU１１が暴走し、あるいはCPU１１にリセット信号が誤って入力された場合でも、内視鏡による観察という機能あるいは使用目的上の安全性の保持あるいは確保のために、ランプの点灯状態を維持する機能を実現する安全保持回路を含む。すなわち、安全保持手段としての安全保持回路は、正常に動作しているとき、制御部２からのランプ消灯指示信号を受信すると、後述する所定の確認動作を行い、ランプ消灯指示信号が正常に発せられたことが確認された後に、ランプユニット６へランプ消灯制御信号を出力する、という安全性を保持する機能を実行する。  
起動部３は、CPLDで実現されているので、その安全性の保持をする回路を有するランプ点灯制御回路２２も、１チップの半導体装置上のロジック回路の接続により実現している。
【００２１】
なお、FPGAもCPLDは、いずれもプログラム可能な論理回路を含む装置であるが、より正確には、FPGAがフィールドでプログラミング可能なゲートアレイであり、CPLDは、PLDよりもゲート規模が大きいプログラミング可能なロジックICチップである。PLDは、内部に予めANDゲート、ORゲート等を設けておき、それらの内部接続を電気的に変更することによって、所望の論理を実現するデジタルICチップである。
【００２２】
以上は、光源装置１の一部の機能の説明であるが、内視鏡装置の一部として機能する光源装置１は、内視鏡を操作する術者による各種操作に応じて、ランプの点灯及び消灯だけでなく、フィルタ、絞り等々の制御も実行する。例えば、光源装置１には、ある所定の周波数領域の光のみを透過する特殊光フィルタを照明光の光軸上に配置し、通常光では見ることができない部位の観察をできるようにしたり、出荷先あるいは接続される内視鏡に応じて全体的な光量を落とすための減光メッシュを光軸上に配置している。特殊光フィルタにより全体的に光量が不足すると、照明中に内視鏡の熱傷を防ぐためにその減光メッシュの透過率を偏光する等の制御も行う。従って、光源装置１は、各種機能に応じた各種制御を実行し、各種制御時、制御部２は、不揮発性メモリ４からの必要な各種データ等を読み出し、そのデータを用いて所定の制御プログラムを実行する。
【００２３】
以上の構成にかかる光源装置１の動作を説明する。まず、正常時の場合の動作を説明する。  
光源装置１の電源がオンされると、まず、起動部３のコンフィギュレーション回路２１は、不揮発性メモリ４からコンフィギュレーションデータを読み込む。そして、コンフィギュレーション回路２１は、読み込んだコンフィギュレーションデータをシリアル信号でデータ転送用クロックCLK信号に基づいて、データ線を介して制御部２へ送信する。制御部２は、FPGAであるので、書き込まれたコンフィギュレーションデータに基づいて、内部に、図２に示すようなCPU１１と各種周辺回路を構築する。
【００２４】
CPU１１が制御部２の内部に構築された後に、CPU１１はイニシャライズ処理を実行し、制御部２は、所定の各種機能を実行する。  
CPU１１は、光源装置１の図示しないフロントパネルのスイッチ状態を監視する。フロントパネルのランプスイッチがオンされたことがキーデコーダ１４を介して検知されると、CPU１１は、起動部２内のランプ点灯制御回路２２に対して点灯指示信号を出力する。ランプ点灯指示信号を受信すると、ランプ点灯制御回路２２は、ランプユニット６に対してランプ点灯制御信号を出力する。
【００２５】
上述したように、ランプ点灯制御回路２２は、ランプの点灯中に、CPU１１が暴走し、あるいはCPU１１へリセット信号が誤って入力された、あるいはCPU１１にノイズ信号が入力された、等々の場合に、ランプの点灯を維持し継続するための安全保持回路が含まれている。上述したように、安全保持回路は、CPLDの機能の一部として、起動部３内に構築されている。よって、例えば、内視鏡を用いて医療上の処置を行っているときに、CPU１１の暴走などがあっても、ランプが消灯するようなことがないように、ランプ点灯制御回路２２は構成されている。
【００２６】
安全保持回路は、例えば、ランプ消灯指示信号を受信すると、CPU１１と所定の通信を行い、その通信が正常に行われ、正常に終了したかによって、CPU１１が正常動作しているか否かの判断を行う。そして、CPU１１との所定の通信が正常に終了しないときは、CPU１１が正常動作していないとして、ランプの消灯を行うためのランプ制御信号をランプユニット６に出力しない。そして、安全保持回路は、ランプ点灯制御回路２２の出力信号を点灯状態のまま保持する。その結果、内視鏡を用いて医療上の観察、あるいは処置を行っているときに、CPU１１の暴走等があっても、ランプが消灯することはないので、術者は、その観察等を継続して行うことができる。
【００２７】
所定の通信は、例えば、安全保持回路からCPU１１に対して所定のデータの送信要求を複数回出力し、安全保持回路において所定のデータをその複数回全てにおいて受信するという通信である。安全保持回路は、所定のデータをその複数回全てにおいて受信できなければ、ランプの消灯を行うランプ消灯制御信号の出力を禁止する。
【００２８】
なお、安全保持回路における、安全性の保持のための確認処理方法は、上述した通信による方法に限らず、他の方法、あるいは構成でもよい。
【００２９】
次に、安全保持回路が故障しているときの動作について説明する。  
上述したように、光源装置１の電源がオンされると、まず、起動部３のコンフィギュレーション回路２１は、不揮発性メモリ４からコンフィギュレーションデータを読み込む。しかし、起動部３を構成するCPLDの半導体装置が何らかの原因で破壊等されていると、安全保持回路も壊れて故障していることになり、同時にCPLDで構成されたコンフィギュレーション回路２１も壊れて動作しない。その結果、光源装置１の電源がオンされても、制御部２のCPU１１は構築されないので、光源装置１は立ち上がらない。よって、ユーザである術者は、壊れた安全保持回路を利用することがない。
【００３０】
すなわち、起動部３のCPLDという半導体装置に安全保持回路を含めたので、安全保持回路が、例えば壊れて故障しているときは、同じ起動部３のコンフィギュレーション回路２１も故障して動作しないので、制御部２が構築されない。言い換えれば、安全保持回路が、起動部３と同一の装置内に形成したので、その装置が壊れていれば、制御部２が構築されないようになっている。よって、術者等のユーザは、電源投入時に、すなわち医療処置等をする前に、医療機器である光源装置１に異常があることを認識することができる。
【００３１】
なお、上述した例では、起動部３は、CPLDで構成されているが、FPGAで構成してもよい。
【００３２】
また、上述した起動部３が正常に起動して制御部２のCPU１１等が正常に構築された場合でも、制御部２の各種機能の実行を開始する前に、ランプ点灯制御回路２２から制御部２のCPU１１に起動許可信号を供給するようにしてもよい。ランプ点灯制御回路２２は、電源が供給されて正常に起動すると、その起動後所定時間だけ経過した後、CPU１１に起動許可信号を供給する。この起動許可信号は、例えば、CPU１１のリセット信号の入力端に供給される。
【００３３】
その結果、CPU１１を含む制御部２がコンフィギュレーション回路２１によって正常に構築された後に、安全保持回路を含むランプ点灯制御回路２２が正常に動作して、所定の信号として、起動許可信号をCPU１１に供給されないと、CPU起動許可信号が入力されず、CPU１１のリセットは解除されないので、光源装置１は起動されない。逆に、起動許可信号がCPU１１に供給されると、CPU起動許可信号が入力されて、CPU１１のリセットは解除され、光源装置１は起動する。  
このような構成にすれば、安全保持回路のダブルチェックを行うことができる。
【００３４】
（第２の実施の形態）  
図３及び図４は、第２の実施の形態に係わる光源装置１ａの構成の一部を示すブロック図である。図４は、内部に各種機能実行部が構築された制御部２ａの構成を示すブロック図である。第１の実施の形態と同一の構成要素については、同一の符号を付して説明は省略する。
【００３５】
本実施の形態は、ランプ点灯制御回路２２が、起動部３ａではなく、FPGAの制御部２ａ内にCPU１１と一体として含まれるようにした点が、第１の実施の形態の構成と異なる点である。従って、ランプユニット６は、制御部２ａ内のランプ点灯制御回路２２からのランプ点灯制御信号によって点灯と消灯の制御がされるようになっている。
【００３６】
以上の構成にかかる光源装置１ａの動作を説明する。  
光源装置１ａの電源がオンされると、まず、起動部３ａのコンフィギュレーション回路２１は、不揮発性メモリ４からコンフィギュレーションデータを読み込む。そして、コンフィギュレーション回路２１は、読み込んだコンフィギュレーションデータを制御部２ａへ送信する。制御部２ａは、FPGAであるので、正常であれば、書き込まれたコンフィギュレーションデータに基づいて、内部に、図４に示すようなCPU１１と各種周辺回路を構築する。CPU１１が制御部２ａの内部に構築された後に、CPU１１はイニシャライズ処理を実行し、制御部２ａは、所定の各種機能を実行する。  
CPU１１は、制御部２ａ内のランプ点灯制御回路２２に対して点灯指示信号を出力する。ランプ点灯指示信号を受信すると、ランプ点灯制御回路２２は、ランプユニット６に対してランプ点灯制御信号を出力する。ランプ点灯制御回路２２は、安全保持回路を含む。上述したように、安全保持回路は、FPGAの機能の一部として、制御部２ａ内に構築されている。
【００３７】
上述したように、光源装置１の電源がオンされると、まず、起動部３のコンフィギュレーション回路２１は、不揮発性メモリ４からコンフィギュレーションデータを読み込む。しかし、制御部２ａを構成するFPGAの半導体装置が何らかの原因で破壊等されていると、安全保持回路も壊れて故障していることになり、同時にFPGAで構成されたCPU１１も壊れて動作しない。その結果、光源装置１の電源がオンされても、制御部２のCPU１１は構築されないので、光源装置１は立ち上がらない。よって、ユーザである術者は、壊れた安全保持回路を利用することがない。
【００３８】
すなわち、制御部２ａのFPGAという半導体装置に安全保持回路を含めたので、安全保持回路が、例えば壊れて故障しているときは、同じ制御部２ａのCPU１１も構築されず、動作しない。言い換えれば、安全保持回路が、制御部２ａと同一の装置内に形成されているので、その装置が壊れていれば、制御部２ａが動作されないようになっている。よって、術者等のユーザは、電源投入時に、すなわち医療処置等をする前に、医療機器である光源装置１に異常があることを認識することができる。
【００３９】
なお、上述した例では、起動部３ａは、CPLDで構成されているが、FPGAで構成してもよい。
【００４０】
ところで、安全保持回路が異常であるときに、光源装置のCPUを起動させないようにする方法について説明する。  
上述したように、光源装置の安全保持回路に異常があるときであっても、光源装置が一旦起動あるいは動作してしまうと、その後に安全保持回路が機能すべきときに機能しないので、ユーザは使用中に観察等を継続して行うことができなくなってしまう。
【００４１】
そこで、安全保持回路が異常であるときは、CPUが壊れていなくても、CPUが起動しないようにした。図５は、安全保持回路が異常であるときは、CPUが壊れていなくても、CPUが起動しないようにした構成を説明するためのブロック図である。
【００４２】
図５に示すように、安全保持回路を有するランプ点灯制御回路２２ａは、CPU１１ａから、ランプ点灯指示信号を受信すると、ランプ点灯指示信号に応じて、ランプ点灯制御回路２２ａは、ランプユニット６ａに対してランプ点灯制御信号を供給する。
【００４３】
さらに、光源装置では、ランプ点灯制御回路２２ａは、CPU１１ａに起動許可信号を供給するように構成されている。特に、ランプ点灯制御回路２２ａは、その起動許可信号を、ランプ点灯制御回路２２ａが正常に起動した後に、CPU１１ａへ供給するように構成されている。ここでは、起動許可信号は、CPU１１ａのリセット信号の入力端に供給される。
【００４４】
すなわち、ランプ点灯制御回路２２ａは、電源が供給されて正常に起動した場合、その起動後所定時間だけ経過した後、CPU１１ａに、リセット解除信号としての起動許可信号を供給する。
【００４５】
その結果、ランプ点灯制御回路２２ａは、正常に動作して、所定の信号として、起動許可信号をCPU１１に供給しないと、CPU１１のリセットは解除されないので、CPU１１ａは起動しない。逆に、起動許可信号がCPU１１に供給されると、CPU起動許可信号が入力されて、CPU１１のリセットは解除され、CPU１１ａは起動する。  
このような構成にすれば、安全保持回路に異常があれば、CPU１１ａは起動しないので、ユーザは、電源投入時に、すなわち医療処置等をする前に、医療機器である光源装置に異常があることを認識することができる。
【００４６】
なお、以上は、説明を簡単にするために、光源装置のランプ点灯制御回路の安全保持回路の例を説明したが、光源装置の他の回路、例えば、送気／送水ポンプ制御回路の安全保持回路等にも、本実施の形態の構成は適用することができる。送気／送水ポンプ制御回路にも本実施の形態の構成を適用した場合、内視鏡装置の光源装置において、異常があっても体内に送気するポンプの動作状態を維持するように動作する。その結果、医師等は、光源装置に異常があっても、ランプは点灯を続け、かつ送気状態も続くので、内視鏡も用いた観察等を継続することができる。
【００４７】
以上のように、本発明の実施の形態によれば、安全保持回路が異常な場合、医療機器である光源装置が起動しない。よって、術者が医療上の観察、処置等を行っているときに、安全保持回路が動作しないということがない。
【００４８】
本発明は、上述した実施の形態に限定されるものではなく、本発明の要旨を変えない範囲において、種々の変更、改変等が可能である。
【産業上の利用可能性】
【００４９】
本発明は、医療分野の内視鏡制御装置だけでなく、工業分野の内視鏡制御装置にも適用可能である。
【図面の簡単な説明】
【００５０】
【図１】本発明の第１の実施の形態に係る内視鏡装置の光源装置の構成の一部を示すブロック図である。
【図２】本発明の第１の実施の形態に係る、内部に各種機能実行部が構築された制御部の構成を示すブロック図である。
【図３】本発明の第２の実施の形態に係る内視鏡装置の光源装置の構成の一部を示すブロック図である。
【図４】本発明の第２の実施の形態に係る、内部に各種機能実行部が構築された制御部２ａの構成を示すブロック図である。
【図５】安全保持回路が異常であるときは、CPUが壊れていなくても、CPUが起動しないようにした構成を説明するためのブロック図である。
【符号の説明】
【００５１】
１，１ａ  光源装置、２，２ａ  制御部、３，３ａ  起動部、１２  記憶部
【図１】
2007175406.tif 000003
【図２】
2007175406.tif 000004
【図３】
2007175406.tif 000005
【図４】
2007175406.tif 000006
【図５】
2007175406.tif 000007